(57)【要約】【課題】  野縁被嵌部材５１と野縁支持受け部材５２とを吊りボルト２に直接組付けし、野縁折曲片４１を両部材間で挟持して野縁４を固定できるようにし、野縁受けを廃することで天井下地の軽量化を図り、両野縁側面４２を、側面被嵌片５１２にビス固定させて、外周３面を確りと補強して組付け剛性強度と耐震強度を高め、天井スペースの狭い天井下地であっても、耐震に対する短尺な吊りボルト２の優位性を生かしてその振動負荷の軽減を図る。【解決手段】  野縁被嵌部材５１と野縁支持受け部材５２とを、それぞれに連通して穿設したボルト挿通孔５１ａと５２ａに吊りボルト２を挿通させて、野縁折曲片４１を、上面被嵌片５１１に上動圧接させて、野縁支持受け部材５２の上側両端部との間で挟持固定し、野縁側面４２を側面被嵌片５１２にビス固定することで、野縁４を吊りボルト２に直接取付けする。【選択図】        図１
2020070553.tif 000002
【特許請求の範囲】
【請求項１】
躯体天井部から所定の間隔を存して垂下される複数の吊りボルトと、該吊りボルトの下部側に野縁取付金具を介して取付けられる複数の野縁と、該野縁にビス固定される天井パネルを含む天井下地において、
前記野縁は、その開口側となる両野縁側面の上端が、内方に逆Ｌ字状又はＵ字状に折曲された野縁折曲片を有して形成され、
前記野縁取付金具は、野縁の開口側を覆う上面被嵌片と、該上面被嵌片の両側から両野縁側面に面接されるよう下方に折曲された側面被嵌片と有して下向きコ字状に形成せしめた野縁被嵌部材と、該野縁被嵌部材の下面域に配設されて、前記両野縁折曲片に跨ってその下面側を支持受けする野縁支持受け部材とを組として備え、
前記野縁被嵌部材と野縁支持受け部材とを、それぞれに穿設したボルト挿通孔に吊りボルトを挿通させて、吊りボルトの先端部に抜け止め支持させた状態で連結組付け可能に構成せしめ、
当該吊りボルトに組付けした状態で、前記野縁支持受け部材を、野縁の長手方向を向く縦姿勢で、野縁内部へ配置させ、かつ、回転操作による横姿勢で前記野縁折曲片を支持受けさせると共に、前記野縁被嵌部材を野縁に被嵌セットし、
前記野縁被嵌部材の上側となる吊りボルトに設けたナットの締め付け操作で、前記野縁折曲片を、前記上面被嵌片に上動圧接させて、前記野縁支持受け部材の上側両端部との間で挟持固定することで、野縁を吊りボルトの下端部に取り付けせしめたことを特徴とする野縁の取付け構造。
【請求項２】
請求項１において、前記野縁被嵌部材と野縁支持受け部材とを、前記ボルト挿通孔を介して締結ボルトで抜け止め支持させた状態で組付けする一方、前記野縁被嵌部材には、前記上面被嵌片に背反して立ち上がる逆Ｌ字状に折曲する吊りボルト固定部を形成し、該吊りボルト固定部に穿設した吊りボルト挿通孔を介して、その上下面を挟んで吊りボルトの先端部にナット固定し、前記締結ボルトの締め付け操作で、前記野縁折曲片を、前記上面被嵌片に上動圧接させて、前記野縁支持受け部材の上側両端部との間で挟持固定することで、野縁を吊りボルトの下端部に取り付けせしめたことを特徴とする野縁の取付け構造。
【請求項３】
請求項１または２において、前記野縁支持受け部材は、上面片を介して下向きコ字状に折曲された垂下折曲片と、その両端部に、前記側面被嵌片に対向し、野縁側面に対面当接して廻り止め規制可能な廻り止め当接片とを備えて形成すると共に、該廻り止め当接片を、回転操作による横姿勢で両野縁側面に対面当接させて、前記側面被嵌片との間で前記野縁側面を挟んでビス固定可能に構成してあることを特徴とする野縁の取付け構造。
【請求項４】
請求項１乃至３の何れかにおいて、前記廻り止め当接片は、その上端部が前記野縁折曲片を支持受けする支持受け片に兼用されていることを特徴とする野縁の取付け構造。
【請求項５】
請求項１乃至４の何れかにおいて、前記垂下折曲片には、その中央下部に、ボルトまたはナットを廻り止めセット可能なボルト保持部が形成されている野縁の取付け構造。
【請求項６】
請求項１乃至５の何れかにおいて、前記野縁支持受け部の上側両端部には、前記野縁折曲片が逆Ｕ字状溝である場合に、該逆Ｕ字状溝内に挿入して野縁を支持受けするよう切欠きされた野縁支持受け溝が形成されていることを特徴とする野縁の取付け構造。
【請求項７】
請求項１乃至６の何れかにおいて、前記吊りボルトが、躯体天井部を構成するＣ型鋼に取着される吊りボルト取付金具を介して垂下固定される天井下地において、
前記吊りボルト取付金具を、Ｃ型鋼の開口側となるリップ片に面当てされてビス固定される正面固定片と、該正面固定片の両側がＬ字状に折曲形成されて、そのコーナー部にリップ片への掛止溝が切欠き形成された側面係止片と、正面固定片の上下に前記側面係止片に背反して折曲形成され、その中央部に穿設された吊りボルト挿入孔を介して、吊りボルトを垂下固定する吊りボルト垂下固定部とを備えて構成し、
前記吊りボルト垂下固定部に、その上下面を挟んで吊りボルトの上端部をナット固定した状態から、当該ナットの緊緩操作による吊りボルトの上下位置変更により、前記吊りボルトの下端部に取り付けられた野縁の上下位置を、前記吊りボルト取付金具側で調整可能としたことを特徴とする野縁の取付け構造。
【請求項８】
請求項１乃至７の何れかに記載の野縁の取付け構造に用いられる野縁取付金具。
【発明の詳細な説明】
【技術分野】
【０００１】
本発明は、躯体天井部（天井スラブやＣ型鋼など）と天井パネルとの間に形成される天井スペース（ふところ）の狭い天井下地に好適な野縁の取付け構造に関する。
【背景技術】
【０００２】
一般に、在来天井は、所定の間隔を存して躯体天井部を構成する天井スラブ、垂木用や母屋用のＣ型鋼（Ｃ字状のリップ溝型材）などに垂下される複数の吊りボルトと、これら吊りボルト間の下端部に野縁受けハンガーや吊金具を介して支持されるチャンネル状の野縁受け（天井下地材）と、上方に開口する両側面部の上端内方に逆Ｕ字状溝を有し、野縁取付金具を介して野縁受けに取り付けされる複数のチャンネル状の野縁（天井下地材）と、野縁にビス止めされる天井パネルとから構成される。
【０００３】
ところで従来、かかる天井下地に採用される野縁受けハンガーは、垂下する吊りボルトの下端部に、ナット止め調整により上下位置調整可能に連結される側面視逆Ｌ字状の吊りボルト固定部と、野縁受けを上方から落とし込んで支持するようＵ字状の野縁受け支持部とが縦設して一体形成され、吊りボルトに対する野縁受けハンガーのナットの緊緩操作による位置変更によって、上下位置が調整されるようにした縦設タイプのものが知られている（特許文献１の図４参照）。
【０００４】
しかしながら、この様な縦設タイプの野縁受けハンガーは、野縁受けの高さ幅となる全体を野縁受け支持部に落とし込み支持する必要があり、野縁受けの高さ幅よりも長い深さを有して形成しなければならず、従って、吊りボルト固定部は、必然的に当該野縁受け支持部よりも上側に設けて、全体を側面視し字状の縦長に形成しなければならないという制作上の制約がある。このため、躯体天井部と天井パネルとの間に形成される天井スペースが狭い天井下地構造である場合に、例えば、そもそも野縁受けハンガーを取り付けするためのスペースが無かったり、或いは、吊りボルトに野縁受けハンガーをナット固定した状態で、野縁受けを野縁受け支持部へ落とし込むという作業が行なえなくなるため、採用することができないという問題がある。
【０００５】
そこで、本願出願人は、特許文献２に開示した如く、側面視コ字状の野縁受け嵌装固定部（６１）と、その背反側に、吊りボルト（２）の下端部側をナット固定されるＬ字状に折曲した吊りボルト固定部（６２）とを備えて一体形成し、野縁受け固定金具（６）の高さ幅を短く形成して、上側ナット（２１）を野縁受け（３）の上面から突出しない状態で配設できるようにし、天井スペースの狭い天井下地構造であっても、新設、既設を問わず吊りボルトの下端部に野縁受け（３）を固定することができるようにして、コンパクト化と耐震補強が図られた野縁受け固定金具（６）を提案した。
【０００６】
しかしながら、天井スペースの広狭にかかわらず、野縁受け固定金具（６）と野縁受け、野縁取付金具と野縁、天井パネルといった天井下地全体の荷重が吊りボルト固定片（６２１）に集中して加わる天井構造であることに何ら変わりがなく、地震等の揺れを受けると、その応力負荷が最も集中し、図７に示す野縁受けハンガー（３１）の逆Ｌ字状の吊りボルト固定片に比し、吊りボルト固定片（６２１）が、く字状に延びる拡開変形を減少規制できるものの、野縁（５）と野縁受け（５１）との間にガタツキが生じ、野縁固定金具（５ａ）などが位置ズレを生じる危惧がある一方、天井スペースの狭い天井下地における吊りボルトは、通常の高さスペースを有するものに比し、極めて短尺であるため耐震性に対する揺れの影響が小さく、かかる野縁受け固定金具（６）と野縁受けを配設した天井構造では過剰品質となって、耐震に対する短尺な吊りボルトの優位性を生かし切れておらず、従来の天井構造によらない新たな野縁の取付け構造の実現が望まれていた。
【先行技術文献】
【特許文献】
【０００７】
【特許文献１】特開２０１０-１２１３７０号公報
【特許文献２】特開２０１７−２１８８０４号公報
【発明の開示】
【発明が解決しようとする課題】
【０００８】
本発明は、上記の如き問題点を一掃すべく創案されたものであって、野縁受けハンガーの吊りボルト固定片に対して天井下地全体の負荷荷重が集中して加わる天井構造を廃し、野縁を野縁取付金具を介して吊りボルトに直接取り付けできるようにして、天井下地の軽量化を図るだけでなく、野縁被嵌部材と野縁支持受け部材の２部材を、吊りボルトに対して、天井荷重を分散させた状態で野縁折曲片を強固に圧接挟持固定し、かつ側面被嵌片に野縁側面をビス固定できるようにして、野縁と野縁取付金具との三位一体となった固定構造により組付け剛性強度を高め、しかも、野縁折曲片に対する挟持機能に加え、野縁受けハンガーを取り付けするための天井スペースの無い、或いは、狭い天井下地構造であっても、耐震に対する短尺な吊りボルトの優位性を生かして、吊りボルトの下端部に吊持固定される野縁取付金具へ加わる天井下地全体の振動負荷を軽減することで、容易かつ好適に採用することのできる野縁の取付け構造を提供することを目的とする。
【課題を解決するための手段】
【０００９】
上記課題を解決するために本発明の野縁の取付け構造は、躯体天井部から所定の間隔を存して垂下される複数の吊りボルトと、該吊りボルトの下部側に野縁取付金具を介して取り付けられる複数の野縁と、該野縁にビス固定される天井パネルを含む天井下地において、前記野縁は、その開口側となる両野縁側面の上端が、内方に逆Ｌ字状又はＵ字状に折曲された野縁折曲片を有して形成され、前記野縁取付金具は、野縁の開口側を覆う上面被嵌片と、該上面被嵌片の両側から両野縁側面に面接されるよう下方に折曲された側面被嵌片と有して下向きコ字状に形成せしめた野縁被嵌部材と、該野縁被嵌部材の下面域に配設されて、前記両野縁折曲片に跨ってその下面側を支持受けする野縁支持受け部材とを組として備え、前記野縁被嵌部材と野縁支持受け部材とを、それぞれに穿設したボルト挿通孔に吊りボルトを挿通させて、吊りボルトの先端部に抜け止め支持させた状態で連結組付け可能に構成せしめ、当該吊りボルトに組付けした状態で、前記野縁支持受け部材を、野縁の長手方向を向く縦姿勢で、野縁内部へ配置させ、かつ、回転操作による横姿勢で前記野縁折曲片を支持受けさせると共に、前記野縁被嵌部材を野縁に被嵌セットし、前記野縁被嵌部材の上側となる吊りボルトに設けたナットの締め付け操作で、前記野縁折曲片を、前記上面被嵌片に上動圧接させて、前記野縁支持受け部材の上側両端部との間で挟持固定することで、野縁を吊りボルトの下端部に取り付けせしめたことを特徴とするものである。
【発明の効果】
【００１０】
本発明は、上記のように構成したことにより、野縁受けハンガーの逆Ｌ字状の吊りボルト固定片に対して天井下地全体の負荷荷重が集中して加わる天井構造を廃し、野縁を野縁取付金具を介して吊りボルトに直接取り付けでき、天井下地の軽量化を図るだけでなく、野縁被嵌部材と野縁支持受け部材の２部材を、吊りボルトの下端部に対して、その上面側と下面側間における長さ幅域を存して、ボルト挿通孔を介した中心位置で直接抜け止め支持し得るので、吊りボルトの先端に加わる吊持荷重を、均等に分散させた状態で組付けできるだけでなく、野縁被嵌部材の上側となる吊りボルトに設けたナットの締め付け操作によって、野縁折曲片を強固に圧接挟持固定し、かつ側面被嵌片に野縁側面をビス固定することができると共に、野縁と野縁取付金具との三位一体となった固定構造により、野縁自体の外周が補強された状態でねじれや湾曲変形に対する組付け剛性強度を高めることができる。その結果、地震等により上下方向やねじれ方向等の揺れを受けた際に、吊りボルトの先端に加わる振動負荷が、一方向に片寄らずに野縁取付金具を中心にバランス良く分散され、共振作用による揺れの増幅などが抑止されると共に、野縁支持受け部材に天井自重による負荷が加わっても、湾曲変形を生じることなく、両野縁折曲片と両野縁側面との３面を確りと補強して一体化された状態が維持され、野縁とのガタツキや位置ズレを防止することができる。殊に、耐震組付け強度を向上させた状態で取り付けでき、野縁受けハンガーを取り付けするための天井スペースの無い、或いは、狭い天井下地構造に容易に採用することができ、耐震に対する短尺な吊りボルトの優位性を生かして、吊りボルトの下端部に吊持固定される野縁取付金具へ加わる荷重は野縁と天井パネルだけとなり、天井下地全体の軽量化に伴って、その振動負荷の軽減が図られ、耐震強度や耐震性能を飛躍的に向上させることができ、吊りボルトの垂下姿勢を長期に亘って好適に維持し、良好な吊持状態を恒久的に保持することができる。
【図面の簡単な説明】
【００１１】
【図１】本発明の実施形態に係る野縁の取付け構造に用いられる野縁取付金具によって、吊りボルト取付金具に垂下固定された吊りボルトに野縁を取り付けした状態を示す説明図であって、（Ａ）は正面図、（Ｂ）は平面図である。
【図２】本発明の実施形態に係る野縁の取付け構造に用いられる他の野縁取付金具によって、天井スラブに垂下固定された吊りボルトに野縁を取り付けした状態を示す説明図であって、（Ａ）はその正面図、（Ｂ）は側面図である。
【図３】本発明の吊りボルト取付金具に垂下固定される吊りボルトに野縁被嵌部材と野縁支持受け部材を組付けした状態を示す野縁取付金具であって、（Ａ）はその正面図、（Ｂ）は側面図である。
【図４】本発明かかる野縁被嵌部材の他の実施例を示す野縁取付金具であって、（Ａ）はその正面図、（Ｂ）は側面図である。
【図５】本発明の実施形態に係る野縁の取付け構造において、（Ａ）はＣ型鋼に取り付けられる吊りボルト取付金具の斜視図、（Ｂ）は野縁取付金具の野縁被嵌部材を示す斜視図、（Ｃ）は野縁被嵌部材の他の実施例を示す斜視図、（Ｄ）は野縁取付金具の野縁支持受け部材を示す上面側と底面側の斜視図である。
【図６】本発明の実施形態に用いる野縁取付金具であって、（Ａ）は吊りボルト取付金具に吊りボルトと共に組付けした状態を示す説明図、（Ｂ）は天井スラブに垂下固定された吊りボルトにナットを用いて抜け止め組付けした状態を示す説明図である。
【図７】本発明の実施形態に用いる野縁取付金具を吊りボルト又は締結ボルトに組付けした状態で、野縁を取り付けする手順を示す説明図である。
【発明を実施するための最良の形態】
【００１２】
以下、本発明の実施の形態を好適な実施の形態として例示する野縁取付金具を図面に基づいて詳細に説明する。
図１は、本発明の実施形態に用いられる野縁取付金具によって、吊りボルト取付金具に垂下固定された吊りボルトに野縁を取り付けした状態を示す説明図野説明図であって、この図に示すＣ型鋼１（Ｃ字状のリップ溝型材）は、垂木用や母屋用として施工されて躯体天井部を構成するものであり、吊りボルト２には、ボルト頭２ａ付きのものが用いられ、吊りボルト取付金具３を介して垂下固定された天井下地を示している。
図２は、同じく天井スラブに垂下固定された吊りボルトに野縁を取り付けした状態を示す説明図であり、この図に示す天井スラブ１ａには、ボルト頭２ａを有しない吊りボルト２が用いられた天井下地を示している。
かかる天井下地には、躯体天井部から所定の間隔を存して垂下される複数の吊りボルト２と、これら吊りボルト２の下端部に野縁取付金具５を介して取り付けられる野縁４（天井下地材）と、野縁４にネジ固定される天井パネルが含まれている。
【００１３】
そして、本実施形態に示す野縁４の取付け構造は、躯体天井部（Ｃ型鋼１や天井スラブ１ａなど）と天井パネルとの間に形成される天井スペース（ふところ）の狭い天井下地構造に野縁４を取り付けた場合に採用される施工例を示しているが、天井スペースの広さに応じて、躯体天井部と野縁取付金具５との間で吊りボルト２に固定される振れ止め固定金具を介して水平状に振れ止め（天井下地材）が架設される。
【００１４】
野縁４としては、その板厚規格が約１．２ｍｍまたは１．６ｍｍの厚板材によって、開口側を上方に向けてその両野縁側面４２、４２の上端が内方に折曲形成された逆Ｌ字状の野縁折曲片４１、４１を有するもの、又は、約０．５ｍｍの薄板材によって、開口側両側部の上端が内方に折曲形成された逆Ｕ字溝状の野縁折曲片４１を有するものがあり、また、幅寸法が異なるダブル野縁やシングル野縁、および、それぞれに高さ幅の異なる１９形（１９ｍｍ）と２５形（２５ｍｍ）とがあり、本実施形態においては、この逆Ｕ字溝状の野縁折曲片４１を有するダブル野縁の１９形のものを例示している。また、野縁４は、図１に示す天井構造においてはＣ型鋼１と直交して配置される。
【００１５】
次に、本発明の実施態様に係る野縁の取付け構造に用いる野縁取付金具について、図３〜５を参照して図１、２の取付け態様と共に説明する。図３の（Ａ）は野縁取付金具の正面図、（Ｂ）は側面図、図４は、野縁取付金具の他の実施例を示し（Ａ）は正面図、（Ｂ）は側面図である。図５の（Ａ）はＣ型鋼に取り付けられる吊りボルト取付金具の斜視図、（Ｂ）は野縁取付金具の野縁被嵌部材を示す斜視図、（Ｃ）は野縁被嵌部材の他の実施例を示す斜視図、（Ｄ）は野縁取付金具の野縁支持受け部材を示す上面側と底面側の斜視図である。
【００１６】
これらの図に示すように、吊りボルト取付金具３は、Ｃ型鋼１の開口側となるリップ片１１に面当てされてビス固定される正面固定片３１と、この正面固定片３１の両側がＬ字状に折曲形成されて、そのコーナー部にリップ片１１への掛止溝３３、３３が切欠き形成された側面係止片３２、３２と、正面固定片３１の上下に側面係止片３２に背反して折曲形成され、その中央部にそれぞれ穿設された吊りボルト挿入孔３４ａ、３４ｂを介して、吊りボルト２を垂下固定する一対の上側垂下片３４１と下側垂下片３４２とからなる吊りボルト垂下固定部３４とを備えて、板厚が２．３ｍｍの厚板材にて全体がプレスにより一体成型されている。吊りボルト２には、吊りボルト挿入孔３４ｂに挿通後、上側垂下片３４１と下側垂下片３４２との間にナット２ｂを配設させておき、吊りボルト挿入孔３４ａに挿通後にナット２ｂを螺入させて、上側垂下片３４１に抜け止め組付けした状態で、野縁取付金具５をセットするようになっている。なお、正面固定片３１の所定個所にビス孔３１ａ、３１ａが穿設されている。
【００１７】
野縁取付金具５は、野縁被嵌部材５１と野縁支持受け部材５２（５２’）との２部材を組として構成され、吊りボルト２または締結ボルト２１に組付けされる。野縁被嵌部材５１は、野縁４の開口側を覆う上面被嵌片５１１と、該上面被嵌片５１１の両側から両野縁側面４２、４２の外周側に面接されるよう下方に折曲された側面被嵌片５１２、５１２と有して下向きコ字状に形成せしめて、板厚が２ｍｍの厚板材によって、全体をプレスにより一体成型される。上面被嵌片５１１の中央部位には、吊りボルト２または締結ボルト２１を挿通するためのボルト挿通孔５１ａが穿設されており、後述する廻り止め当接片５２３と対向する個所にビス孔５１ｂがそれぞれ穿設されている。
【００１８】
野縁支持受け部材５２は、上面片５２１を介して下向きコ字状に折曲された垂下折曲片５２２、５２２と、その両端部に、側面被嵌片５１２、５１２に対向し、両野縁側面４２、４２の内面に対面当接して廻り止め規制可能な廻り止め当接片５２３、５２３とを有し、その中央部位となる上面片５２１に吊りボルト２または締結ボルト２１のボルト挿通孔５２ａが穿設され、両垂下折曲片５２２、５２２に、吊りボルト２のボルト頭２ａまたはナット２ｂを廻り止めセット可能な溝状のボルト保持部５２ｂとを有して、全体が板厚が１．６ｍｍの野縁被嵌部材５１よりも薄板材にてプレスにより一体成型される。野縁被嵌部材５１と野縁支持受け部材５２は、吊りボルト２または締結ボルト２１を介して上面被嵌片５１１の下面域（野縁被嵌部材５１のコ字状内面域）に回転及び上下移動可能に連結された仮組付け状態で工場出荷される。
【００１９】
ボルト保持部５２ｂはコ字状に切欠きされた溝状に形成され、その溝幅は、吊りボルト２のボルト頭２ａまたはナット２ｂの一辺の寸法幅よりも広幅でかつ回り止め保持できる溝幅を有しており、その切欠き溝の開口側から吊りボルト２を配設セットできるようになっている。上面片５２１の両端部には、野縁折曲片４１、４１の逆Ｕ字状溝内に挿入して野縁４を支持受けするよう略Ｖ字状に切欠きして、それぞれの垂下折曲片５２２…の４個所に形成された野縁支持受け溝５２ｃ…と、両垂下折曲片５２２、５２２の両端部に、野縁支持受け部材５２を縦姿勢から横姿勢へ回転操作して姿勢変姿した際に、廻り止め当接片５２３、５２３が側面被嵌片５１２に対向して、両野縁側面４２、４２の内面に対面当接するようになっている。なお、ボルト保持部５２ｂと野縁支持受け溝５２ｃは、野縁支持受け部材５２を上下逆にして形成させても良い。
【００２０】
つまり、この廻り止め当接片５２３、５２３は、縦姿勢から横姿勢へ時計回りに一方向回転操作によって姿勢変姿が行えるように、両垂下折曲片５２２、５２２の対角側となる両端部の同方向に折曲形成されており、その上端面が野縁支持受け溝５２ｃ…の上端面と面一となるように延出折曲され、野縁折曲片４１、４１の逆Ｕ字状溝内に野縁支持受け溝５２ｃ…と共に挿入されて野縁４を支持受けする機能と、側面被嵌片５１２、５１２との間で両野縁側面４２、４２をドリルビスにてビス固定することで圧接挟持する機能を兼ね備えている。なお、ナット２ｂをボルト保持部５２ｂにセットさせた状態でも吊りボルト２または締結ボルト２１を回転操作すれば、野縁支持受け部材５２を縦姿勢から横姿勢へ回動できるが、スムーズに回動されない場合は指押し操作すれば良い。なお、廻り止め当接片５２３は必要において形成すれば良く、また、その折曲形態は任意であり、要は、野縁側面４２の内面に当接または対向配置されビス固定可能なものであれば良い。
【００２１】
図２および図５（Ａ）は、野縁取付金具５の他の実施例を示し、これら図に示す野縁被嵌部材５１’は、野縁被嵌部材５１の上面被嵌片５１１から上方へ折曲形成させた逆Ｌ字状の吊りボルト固定部５１３を設けたものであり、吊りボルト固定部５１３の上面中央には吊りボルト挿通孔５１ｃが穿設されており、その余の構成は同じであるため詳細な説明は省略する。この野縁被嵌部材５１’を用いる場合は、野縁被嵌部材５１’と野縁支持受け部材５２とを締結ボルト２１（ボルト２１ａとナット２ｂ）を介して上面被嵌片５１１の下面域に回転及び上下移動可能に連結された仮組付けさせておき、主に天井スラブ１ａに垂下固定された吊りボルト２に取り付けする場合において、野縁取付金具５の上下位置の調整幅が大きくなる場合に、野縁被嵌部材５１と混在して用いても良く、或いは、単独で使用でも良い。また、締結ボルト２１を用いずに吊りボルト２の先端にナット２ｂを用いて、ボルト保持部５２ｂで廻り止めセットした状態で抜け止め支持させても良い。
【００２２】
次に、本発明の実施態様に係るの野縁４の取り付け手順について、図６の（Ａ）、（Ｂ）、図７の（Ａ）〜（Ｄ）を参照して説明する。これらの図に示すように、先ず、施工現場の躯体天井部が図６（Ａ）に示すＣ型鋼１である場合は、図３に示すように吊りボルト２に組付けされた野縁取付金具５を用い、吊りボルト取付金具３を組み付ける。この組み付けにあたっては、吊りボルト２の先端を吊りボルト挿入孔３４ａに挿通後にナット２ｂを螺入させて、更に吊りボルト挿入孔３４ｂに挿通させてナット２ｂを螺入することで、吊りボルト垂下固定部３４に抜け止め状態で仮組付けする。この組付け状態で、側面係止片３２、３２の掛止溝３１３を、Ｃ型鋼１の開口側からリップ片１１に挿入して吊りボルト取付金具３を掛止セットし、野縁取付金具５に野縁４を組付け固定作業が完了した後に、正面固定片３１１をビス孔３１ａを介してリップ片１１にビス固定すれば取り付け作業が完了する。その際、野縁取付金具５の上下位置調整は、上側垂下片３４１の上面に螺入したナット２ｂの緊緩操作により行い、上側垂下片３４１と下側垂下片３４２との間のナット２ｂの締め付け操作で位置固定する。
【００２３】
この様に、吊りボルト２は、下側垂下片３４２側に挿通させた状態で、上側垂下片３４１側でナット固定され、所定間隔を存した長さ幅域をもって、吊りボルト挿入孔３４ａと３４ｂとによって２点支持させているので、地震等による振動を受けた際に、振動負荷が一点集中することがなく、天井パネル側からの振動を吊りボルト挿入孔３４ｂ側で僅かに大きい挿通孔径内において、僅かな振動を許容することで、ナット固定された上側垂下片３４１への振動伝達を減衰させ、分散支持受けすることができ、吊りボルト２の湾曲変形を防止することができる。
【００２４】
一方、躯体天井部が図６（Ｂ）に示すように、吊りボルト２が予め垂下固定された天井スラブ１ａ等である場合には、吊りボルト２に対して、上側のナット２ｂ、野縁被嵌部材５１、野縁支持受け部材５２、下側のナット２ｂの順で組付けセットする。この状態で、下側のナット２ｂを緊緩操作することで、野縁４を取り付けする前工程で野縁取付金具５の上下位置調整を行う。つまり、天井スラブ１ａに垂下固定された吊りボルト２…は、その先端部の誤差が小さく、本実施形態における野縁４に、高さ幅が１９ｍｍの浅底の１９型が使用されていても、野縁支持受け部材５２と野縁４の底面との間に５ｍｍ程度の調整幅が存在するので、高さ位置合わせが可能であり、２５形（２５ｍｍ）である場合には充分な調整幅が得られる。また、野縁被嵌部材５１に替えて締結ボルト２１と共に野縁被嵌部材５１’を用いる場合には、従来の野縁受けハンガーと同様にナット固定による高さ位置調整が行われが、その天井荷重をナット固定された吊りボルト２と背反する側で野縁受けを支持受けする構造と異なり、上面被嵌片５１１と吊りボルト固定部５１３が野縁４の長手方向に振り分け配置されているため、天井荷重も同方向（同軸線上）で支持受けする構造となり、天井全体の軽量化と相まって、耐震性能を飛躍的に向上させることができる。
【００２５】
次いで、この様に吊りボルト２に野縁取付金具５を仮組付けしたセット後に、野縁４を野縁取付金具５に取り付けする手順について、図７の（Ａ）〜（Ｄ）を参照して説明する。先ず、このセット状態で、野縁４を開口側から野縁支持受け部材５２を飲み込む形でその底面に当接させ（図（Ａ）参照）、吊りボルト２又は締結ボルト２１を回転操作し、または、図６（Ｂ）に示すナット２ｂで野縁支持受け部材５２を支持受けした場合を含め、指押し操作することにより、野縁支持受け部材５２を、野縁側面４２の内面に廻り止め当接片５２３を対面当接させた状態で横姿勢にセットした後、野縁４をその自重により降下させることで、野縁折曲片４１の逆Ｕ字状溝が野縁支持受け溝５２ｃの傾斜に沿った挿入がなされた吊持状態でセットされる（図（Ｂ）参照）。
【００２６】
このセット状態から、吊りボルト２（締結ボルト２１）のナット２ｂを締め付け操作することで、野縁支持受け部材５２と共に野縁４を上動させて野縁折曲片４１を、上面被嵌片５１１と野縁支持受け部材５２の両端部（野縁支持受け溝５２ｃと廻り止め当接片５２３の上端面）との間で強固に圧接した状態で挟み込み挟持する（図（Ｃ）参照）。この操作時において、野縁支持受け部材５２は、縦姿勢から横姿勢への回転を許容するため、廻り止め当接片５２３と両野縁側面４２、４２との間に所定の隙間を有して、回転操作範囲が図（Ｄ）に示す９０度＋１、２度程度の許容範囲をもって設定されて組付けられており、ナット２ｂの締め付け操作に追随して、廻り止め当接片５２３の先端が傾斜した状態で野縁側面４２の内面に当接され、その当接状態が維持されたまま、野縁被嵌部材５１の上面被嵌片５１１と野縁支持受け部材５２の上面片５２１との間に隙間を保持した、所謂スナップを効かせた状態で、野縁折曲片４１を強固に圧接させて挟持固定することができ、締め付け過ぎや振動により野縁支持受け部材５２に挫屈等の変形を生じることが無く、この挟持状態を維持したまま側面被嵌片５１２と廻り止め当接片５２３との間で、両野縁側面４２、４２がビス止めにより確りと挟み込み固定され、野縁４自体の外周３面が補強された状態で組付け剛性強度を強固なものとすることができる。
【００２７】
しかも、野縁被嵌部材５１と野縁支持受け部材５２の２部材を、吊りボルト２の下端部に対して、その上面と下面間（ボルト頭２ａと上側ナット２ｂ間）の長さ幅域を存して、ボルト挿通孔５１ａと５２ａを介した中心位置で直接抜け止め支持することができるので、吊りボルト２の先端（ボルト頭２ａ）に加わる吊持荷重を、野縁支持受け部材５２の垂下折曲片５２２、５２２により変形が防止された状態で確りと支持受けして組付けすることができ、地震等の振動を受けても、吊りボルト２の先端に加わる振動負荷を、均等に分散させることができ、野縁４とのガタツキや位置ズレが防止されて、その挟持状態を好適に維持することができ、野縁被嵌部材５１と野縁支持受け部材５２に変形を生じることもなく、耐震組付け強度の向上を図ることができ、耐震に対する短尺な吊りボルトの優位性を生かして、吊りボルト２の下端部に吊持固定される野縁取付金具５へ加わる荷重は野縁４と天井パネルだけとなり、天井下地全体の軽量化に伴って、その振動負荷を軽減することができる。
【００２８】
しかる後、側面被嵌片５１２と廻り止め当接片５２３との間で両野縁側面４２、４２をビス止めにより挟み込み固定すれば取り付け作業が完了する。この挟み込み固定にあたっては、下野縁支持受け部材５２は、野縁被嵌部材５１よりも薄板厚材にて、全体が下向きコ字状にて成型してあるので、使用されるものが波板状に形成された板材である場合に比して強度があり、吊りボルト２（締結ボルト２１）をナット２ｂにより強固に締め付け操作しても、両垂下折曲片５２２、５２２を介して固定されるので、両者間に挫屈等の変形を生じることが防止され、しかも、側面被嵌片５１２に穿設されたビス孔５１ｂはドリルビスの外径と略同径に設定されているので、廻り止め当接片５２３が両野縁側面４２、４２に当接しない状態でビス固定しても、ドリルビスがビス孔５１ｂを介して傾斜状に螺入されて廻り止め当接片５２３が引き寄せられて、両野縁側面４２、４２の内面に当接させた状態で挟み込み固定することができるようになっている。
【００２９】
つまり、この様に両野縁側面４２、４２を、側面被嵌片５１２と廻り止め当接片５２３との間で挟持固定することにより、従来の側面被嵌片５１２と野縁側面４２とを直接ビス固定したものに比べて、ビス止め部分に振動負荷が集中的に加わった際に、ビスとの水平方向等への衝突作用を受けて変形や亀裂を生じ、或いは、ネジ止め機能が損なわれ、甚だしくは野縁４自体がビス止め部分で折れ曲がったり、割裂を招来する危惧があり、その様な欠点が払拭され、ドリルビスとの衝突作用によって亀裂等の損傷を生じることが無く、耐震組付け強度を向上することができ、野縁４の４面における締め付け挟持状態を長期に渡って保持することができる。
【００３０】
叙述の如く構成された本発明の実施の形態において、いま、天井下地の施工において、躯体天井部から所定の間隔を存して垂下される吊りボルト２の下部側に、野縁取付金具５を介して野縁４を取り付けるのであるが、本発明にかかる野縁４の取付け構造は、野縁取付金具５を、野縁４の開口側を覆う上面被嵌片５１１と、該上面被嵌片５１１の両側から両野縁側面４２、４２に面接されるよう下方に折曲された側面被嵌片５１２と有して下向きコ字状に形成せしめた野縁被嵌部材５１と、該野縁被嵌部材５１の下面域に配設されて、両野縁折曲片４１、４１に跨ってその下面側を支持受けする野縁支持受け部材５２とを組として備え、野縁被嵌部材５１と野縁支持受け部材５２とを、それぞれに連通して穿設したボルト挿通孔５１ａと５２ａに吊りボルト２の先端部を挿通させて、吊りボルト２の先端部に抜け止め支持させた状態で連結組付け可能に構成せしめ、当該吊りボルト２に組付けした状態で、野縁支持受け部材５２を、野縁４の長手方向を向く縦姿勢で、野縁４の内部へ配置させ、かつ、回転操作による横姿勢で野縁折曲片４１、４１を支持受けさせると共に野縁被嵌部材５１を野縁４に被嵌セットし、野縁被嵌部材５１の上側となる吊りボルト２に設けたナット２ｂの締め付け操作で、野縁折曲片４１、４１を、上面被嵌片５１１に上動圧接させて、野縁支持受け部材５２の上側両端部との間で挟持固定することで、野縁４を吊りボルト２の下端部に取り付けせしめている。
【００３１】
この様に構成すると、野縁受けハンガーの逆Ｌ字状の吊りボルト固定片に対して天井下地全体の負荷荷重が集中して加わる天井構造を廃し、野縁４を野縁取付金具５を介して吊りボルト２に直接取り付けでき、天井下地の軽量化を図るだけでなく、野縁被嵌部材５１と野縁支持受け部材５２の２部材を、吊りボルト２の下端部に対して、その上面側と下面側間における長さ幅域を存して、ボルト挿通孔５１ａと５２ａを介した中心位置で直接抜け止め支持し得るので、吊りボルト２の先端に加わる吊持荷重を、均等に分散させた状態で組付けできるだけでなく、野縁被嵌部材５１の上側となる吊りボルト２に設けたナット２ｂの締め付け操作によって、野縁折曲片４１、４１を強固に圧接挟持固定し、かつ側面被嵌片５１２に野縁側面４２をビス固定することができると共に、野縁４と野縁取付金具５との三位一体となった固定構造により、野縁４自体の外周が補強された状態でねじれや湾曲変形に対する組付け剛性強度を高めることができ、両野縁側面４２、４２を挟み込みするビス固定作業も容易に行うことができる。
【００３２】
その結果、地震等により上下方向やねじれ方向等の揺れを受けた際に、吊りボルトの先端に加わる振動負荷が、一方向に片寄らずに野縁取付金具５を中心にバランス良く分散され、共振作用による揺れの増幅などが抑止されると共に、野縁支持受け部材５２に天井自重による負荷が加わっても、湾曲変形を生じることなく、両野縁折曲片４１、４１と両野縁側面４２、４２との３面を確りと補強して一体化された状態が維持され、野縁４とのガタツキや位置ズレを防止することができる。殊に、耐震組付け強度を向上させた状態で取り付けでき、野縁受けハンガーを取り付けするための天井スペースの無い、或いは、狭い天井下地構造であっても、耐震に対する短尺な吊りボルト２の優位性を生かして、吊りボルト２の下端部に吊持固定される野縁取付金具５へ加わる荷重は野縁４と天井パネルだけとなり、天井下地全体の軽量化に伴って、その振動負荷の軽減が図られ、耐震強度や耐震性能を飛躍的に向上させることができ、吊りボルト２の垂下姿勢を長期に亘って好適に維持し、良好な吊持状態を恒久的に保持することができる。
【００３３】
また、野縁被嵌部材５１と野縁支持受け部材５２とを、ボルト挿通孔５１ａと５２ａを介して締結ボルト２１で抜け止め支持させた状態で組付けする一方、野縁被嵌部材５１には、上面被嵌片５１１に背反して立ち上がる逆Ｌ字状に折曲する吊りボルト固定部５１３を形成し、該吊りボルト固定部５１３に穿設した吊りボルト挿通孔５１ｃを介して、その上下面を挟んで吊りボルト２の先端部にナット固定し、締結ボルト２１の締め付け操作で、野縁折曲片４１、４１を、上面被嵌片５１１に上動圧接させて、野縁支持受け部材５２の上側両端部との間で挟持固定することで、野縁４を吊りボルト２の下端部に取り付けせしめるよう構成してある。
【００３４】
この様に構成すると、野縁被嵌部材５１に替えて締結ボルト２１と共に野縁被嵌部材５１’を用いる場合には、従来の野縁受けハンガーと同様にナット固定による高さ位置調整を行うことができるだけでなく、野縁被嵌部材５１と共に必要個所にのみ採用する補助的な部材として適用することができ、しかも、野縁受けハンガーの如く、天井荷重をナット固定された吊りボルト２と背反する側で野縁受けを支持受けする構造と異なり、上面被嵌片５１１と吊りボルト固定部５１３が野縁４の長手方向に振り分け配置されているため、天井荷重も同方向（同軸線上）で支持受けする構造となり、天井全体の軽量化と相まって、耐震性能を飛躍的に向上させることができる。
【００３５】
また、野縁支持受け部材５２は、上面片５２１を介して下向きコ字状に折曲された垂下折曲片５２２と、その両端部に、側面被嵌片５１２に対向し、野縁側面４２に対面当接して廻り止め規制可能な廻り止め当接片５２３とを備えて形成すると共に、該廻り止め当接片５２３、５２３を、回転操作による横姿勢で両野縁側面４２，４２に対面当接させて、側面被嵌片５１２、５１２との間で、野縁側面４２、４２を挟んでビス固定可能に構成してあるので、上面被嵌片５１１と上面片５２１との間に隙間を保持したスナップの効いた状態で、両野縁折曲片４１、４１を含む外周３面が野縁被嵌部材５１と野縁支持受け部材５２とによって、確りと圧接挟持された状態で組付け固定することができ、野縁４自体の外周面が補強された組付け剛性強度をもって両者が一体化され、上下方向やねじれ方向等の振動負荷を受けても、野縁４とのガタツキや位置ズレが防止されて、その挟持状態を好適に維持することができる。殊に、薄板材にて形成された野縁４を使用した際に、側面被嵌片５１２と野縁側面４２とを直接ビス固定したものに比し、ビス止め部分に亀裂等の損傷を生じる危惧が回避され、野縁被嵌部材５１と野縁支持受け部材５２の変形が生じることもなく、耐震組付け強度の向上を図ることができる。
【００３６】
また、廻り止め当接片５２３、５２３は、その上端部が野縁折曲片４１を支持受けする支持受け片に兼用されているので、野縁支持受け部材５２の上動操作に伴って、野縁折曲片４１、４１の逆Ｕ字状溝内に野縁支持受け溝５２ｃと共に入り込み野縁４を支持受けすることができ、ナット２ｂの締め付け操作により広幅な面域をもって支持受けした状態で挟持固定することができ、野縁４の長手方向に対する振動を受けても、野縁被嵌部材５１とその縦幅と同幅域をもって共同に支持受け挟持することができ、吊りボルト２（締結ボルト２１）を中心としてその振動負荷を分散支持することができる。その結果、長手方向への振動負荷に対しても耐震性に対する組付け剛性強度を高める補強ができ、野縁４の長手方向や傾斜方向に対する耐震機能が高められ、野縁４の位置ズレ規制がなされた密着状態が維持され、野縁４への挟持機能が損なわれることなく、ねじれや傾動を受け止めて、両者間にガタツキの発生が防止された耐震構造を得ることができる
【００３７】
また、垂下折曲片５２２、５２２には、その中央下部に、ボルト頭２ａまたはナット２ｂを廻り止めセット可能なボルト保持部５２ｂが形成されているので、ボルト頭２ａやナット２ｂがボルト保持部５２ｂに回り止め規制された状態で保持されているので、上側のナット２ｂを締め付け操作すれば、野縁支持受け部材５２を野縁被嵌部材５１に対して強制的に引き寄せ上動させて圧着させ、野縁折曲片４１を両者間で強固に圧着挟持させた状態で一体化固定することができる。
【００３８】
また、野縁支持受け部材５２の上側両端部には、野縁折曲片４１、４１が逆Ｕ字状溝である場合に、該逆Ｕ字状溝内に挿入して野縁４を支持受けするよう略Ｖ字状に切欠きされた野縁支持受け溝５２ｃ…が形成されているので、野縁支持受け部材５２を横姿勢にセットした状態で、野縁４の自重により降下させることで、野縁支持受け溝５２ｃの傾斜に沿って逆Ｕ字状溝内に挿入させることができ、当該挿入動作に追随して廻り止め当接片５２３を野縁側面４２の内面に対面当接させた吊持状態でセットすることができる。
【００３９】
また、吊りボルト２が、躯体天井部や天井下地を構成するＣ型鋼１に取着される吊りボルト取付金具３を介して垂下固定される天井下地において、吊りボルト取付金具３を、Ｃ型鋼１の開口側となるリップ片１１に面当てされてビス固定される正面固定片３１と、該正面固定片３１の両側がＬ字状に折曲形成されて、そのコーナー部にリップ片１１への掛止溝３３、３３が切欠き形成された側面係止片３２、３２と、正面固定片３１の上下に側面係止片３２に背反して折曲形成され、その中央部に穿設された吊りボルト挿入孔３４ａ、３４ｂを介して、吊りボルト２を垂下固定する吊りボルト垂下固定部３４とを備えて構成し、吊りボルト垂下固定部３４に、その上下面を挟んで吊りボルト２の上端部をナット固定した状態から、当該ナットの緊緩操作による吊りボルトの上下位置変更により、吊りボルト２の下端部に取り付けられた野縁４の上下位置を、吊りボルト取付金具３側で調整可能となっている。
【００４０】
この様に構成すると、ボルト頭２ａ付きの吊りボルト２を用いることができ、この吊りボルト２に予め野縁被嵌部材５１と野縁支持受け部材５２とを仮組付けした状態で工場出荷することができ、特に、天井スペース（ふところ）の狭い天井下地構造に適用する場合には、取り扱いを容易に行うことができるだけでなく、野縁取付金具５に野縁４を組付けする固定作業中や固定完了後に、上側垂下片３４１上のナット２ｂ緊緩操作により野縁取付金具５の上下位置調整を行うことができると共に、リップ片１１に対してスライド操作して位置決め調整を行うことができる。しかも、吊りボルト２は、下側垂下片３４２側に挿通させた状態で、上側垂下片３４１側でナット固定され、所定間隔を存した長さ幅域をもって、吊りボルト挿入孔３４ａと３４ｂとによって２点支持させているので、地震等による振動を受けた際に、振動負荷が一点集中することがなく、天井パネル側からの振動を吊りボルト挿入孔３４ｂ側で僅かに大きい挿通孔径内において、僅かな振動を許容することで、ナット固定された上側垂下片３４１への振動伝達を減衰させ、分散支持受けすることができ、吊りボルト２の湾曲変形を防止することができる。
【符号の説明】
【００４１】
１      Ｃ型鋼
１１    リップ片
１ａ    天井スラブ
２      吊りボルト
２ａ    ボルト頭
２ｂ    ナット
２１    締結ボルト
２１ａ  ボルト
３      ボルト取付金具
３１    正面固定片
３１ａ  ビス孔
３１１  正面固定片
３１３  掛止溝
３２    側面係止片
３３    掛止溝
３４    ボルト垂下固定部
３４１  上側垂下片
３４２  下側垂下片
３４ａ  ボルト挿入孔
３４ｂ  ボルト挿入孔
４      野縁
４１    野縁折曲片
４２    野縁側面
５      野縁取付金具
５１    野縁被嵌部材
５１１  上面被嵌片
５１２  側面被嵌片
５１３  ボルト固定部
５１ａ  ボルト挿通孔
５１ｂ  ビス孔
５１ｃ  吊りボルト挿通孔
５２    野縁支持受け部材
５２１  上面片
５２２  垂下折曲片
５２３  当接片
５２ａ  ボルト挿通孔
５２ｂ  ボルト保持部
５２ｃ  野縁支持受け溝
【図１】
2020070553.tif 000003
【図２】
2020070553.tif 000004
【図３】
2020070553.tif 000005
【図４】
2020070553.tif 000006
【図５】
2020070553.tif 000007
【図６】
2020070553.tif 000008
【図７】
2020070553.tif 000009